(57)【要約】【課題】静止画、動画を問わず、撮像現場での状況を発話することで、リアルタイムに発話音声の内容を撮像画像のファイル名及び画像に関するコメントの少なくとも一方を含む文字データとして登録する。【解決手段】記録データに特殊ファイル名を付与する、コメントは付与しない、かつ、編集しない、という基本的な処理の流れに特化して要約すると、まず、撮像者は、通信端末装置１２を持って、現場で撮像する。次に、撮像した記録データをアップロードし、その後、通信端末でプレビュー表示する。次に、撮像者からのタイミングで発話の開始指示があると、発話音声−文字変換制御装置１６によって発話音声が文字に変換される。最後に、文字変換された文字データをプレビュー表示されている画像データのファイル名領域に特殊ファイル名として、既に記録データ格納用データベース１４Ｅに格納した記録データに紐付けて保存する。【選択図】図４
2020119444.tif 000002
【特許請求の範囲】
【請求項１】
表示部によってスルー画像を表示し、撮像部によって目的の画像を撮像する機能を備えた通信端末装置と、
前記通信端末装置とアクセス可能であり、当該通信端末装置から転送された画像情報を格納可能なデータベースを備えた画像情報管理制御装置と、
を有する文字入力支援システムであって、
前記通信端末装置が、
前記撮像部で撮像し終えた直後の撮像画像の画像情報を、前記通信端末装置へ転送すると共に、当該撮像画像を、前記スルー画像に代えて前記表示部にプレビュー表示する撮像画像情報処理部と、
前記データベースに格納される画像情報には、文字データが登録可能な文字データ格納領域が付加されており、前記表示部に撮像画像がプレビュー表示されている期間中に発話した音声データが変換された文字データを、前記文字データ格納領域に登録する文字データ登録部と、
を有する文字入力支援システム。
【請求項２】
前記通信端末装置の撮像部で撮像した撮像画像は、前記データベースへ転送後に閲覧可能とされ、
前記文字データ格納領域の文字データは、予め許可を得た特定の通信端末装置に制限されて閲覧可能とされる、ことを特徴とする請求項１記載の文字入力支援システム。
【請求項３】
前記文字データ格納領域が、前記画像情報の特殊ファイル名を登録するファイル名格納領域であり、前記文字データを当該画像情報の特殊ファイル名として、前記ファイル名格納領域に登録することを特徴とする請求項１又は請求項２記載の文字入力支援システム。
【請求項４】
前記文字データ格納領域が、文字登録可能なコメント領域であり、前記文字データを当該画像情報のコメントとして、前記コメント領域に登録することを特徴とする請求項１又は請求項２記載の文字入力支援システム。
【請求項５】
通信端末装置の表示部にスルー画像を表示した状態で、撮像部で撮像した画像に対して、文字データを付与するための文字入力支援制御装置であって、
前記撮像部で撮像し終えた直後の撮像画像の画像情報を、画像情報格納用のデータベースへ転送すると共に、当該撮像画像を、前記スルー画像に代えて前記表示部にプレビュー表示する撮像画像情報処理部と、
前記表示部に撮像画像がプレビュー表示されている期間中に発話した音声を入力する音声入力部と、
前記音声入力部で入力された音声データを送信する送信部、及び前記送信部で送信した音声データに基づいて変換された文字データを受信する受信部を備えた文字データ取得部と、
前記画像情報には、文字データが登録可能な文字データ格納領域が付加されており、前記文字データ取得部で取得した文字データを、前記文字データ格納領域に登録する文字データ登録部と、
を有する文字入力支援制御装置。
【請求項６】
前記通信端末装置の撮像部で撮像した撮像画像は、前記データベースへ転送後に閲覧可能とされ、
前記文字データ格納領域の文字データは、予め許可を得た特定の通信端末装置に制限されて閲覧可能とされる、ことを特徴とする請求項５記載の文字入力支援制御装置。
【請求項７】
前記文字データ格納領域が、前記画像情報の特殊ファイル名を登録するファイル名格納領域であり、前記文字データを当該画像情報の特殊ファイル名として、前記ファイル名格納領域に登録することを特徴とする請求項５又は請求項６記載の文字入力支援制御装置。
【請求項８】
前記文字データ格納領域が、文字登録可能なコメント領域であり、前記文字データを当該画像情報のコメントとして、前記コメント領域に登録することを特徴とする請求項５又は請求項６記載の文字入力支援制御装置。
【請求項９】
通信端末装置の表示部にスルー画像を表示した状態で、撮像部で撮像した画像に対して、文字データを付与するための文字入力支援制御方法であって、
前記撮像部で撮像し終えた直後の撮像画像の画像情報を、画像情報格納用のデータベースへ転送し、
当該撮像画像を、前記スルー画像に代えて前記表示部にプレビュー表示し、
前記撮像画像が表示されている所定期間中に発話した音声を入力し、
入力された音声データを送信し、かつ、送信した音声データに基づいて変換された文字データを受信し、
取得した文字データを、前記画像情報に付加された文字データ格納領域に登録する、
ことを特徴とする文字入力支援制御方法。
【請求項１０】
前記通信端末装置の撮像部で撮像した撮像画像は、前記データベースへ転送後に閲覧可能とされ、
前記文字データ格納領域の文字データは、予め許可を得た特定の通信端末装置に制限されて閲覧可能とされる、ことを特徴とする請求項９記載の文字入力支援制御方法。
【請求項１１】
前記文字データ格納領域が、前記画像情報の特殊ファイル名を登録するファイル名格納領域であり、前記文字データを当該画像情報の特殊ファイル名として、前記ファイル名格納領域に登録することを特徴とする請求項９又は請求項１０記載の文字入力支援制御方法。
【請求項１２】
前記文字データ格納領域が、文字登録可能なコメント領域であり、前記文字データを当該画像情報のコメントとして、前記コメント領域に登録することを特徴とする請求項９又は請求項１０記載の文字入力支援制御方法。
【請求項１３】
コンピュータを、
請求項５〜請求項８の何れか１項記載の文字入力支援装置として機能させる、
文字入力支援プログラム。
【発明の詳細な説明】
【技術分野】
【０００１】
本発明は、撮像現場での発話音声データを用いて、ファイル名やコメントを登録するための文字入力支援システム、文字入力支援制御装置、文字入力支援制御方法、文字入力支援プログラムに関するものである。
【背景技術】
【０００２】
例えば、製造業等の広大な工場を管理する企業において、日々の点検業務やトラブル時の対応業務の際、デジタルカメラやスマートホン（スマートフォンという場合もある）を用いて現場の状況をデジタルファイルとして映像記録する必要がある。また、撮像デバイスとして、近年では、スマートグラスに代表されるウェアラブル端末を用いることもある。
【０００３】
ところで、撮像したデジタルファイルの対象物及びファイル名の紐付けは、オフィス等に戻ってからパソコン等でリネームする必要があったが、類似の映像記録から撮像時の状況を思い出して入力するのは労力がかかっている。
【０００４】
なお、参考として、撮像したデジタルファイルを自動で整理する技術として、特許文献１〜特許文献６の技術が提案されている。
【０００５】
特許文献１には、デジタルカメラ等で撮像した画像データの中から、ユーザのプリント傾向・嗜好を反映させたプリント推奨画像を自動的に選択することが記載されている。
【０００６】
また、特許文献２には、動画像からベストショットに対応するフレーム画像を、精度よく、効率的かつ高速に抽出することが記載されている。
【０００７】
さらに、特許文献３には、予め登録された認識用の画像パターンに応じて自動的に撮像画像を振り分けることが記載されている。
【０００８】
また、特許文献４には、撮影画像を確認するための表示パネルが設けられたデジタルカメラ、アダプタ、及び携帯通信端末を有する端末装置と、外部プロバイダ、アプリケーションサーバ、情報端末装置、及びこれらをデータ送受信可能に接続する通信網、インターネットと、からなる情報処理システムであって、端末装置において、画像選択ボタンが押されると、デジタルカメラの表示パネル等に表示されている画像データを取得して記憶し、音声入力ボタンが押されるのを監視し、音声入力ボタンが押されると、マイクからのユーザの音声メッセージの入力を行い、入力した音声メッセージを適切な音声データに変換し、音声データに含まれる１つ以上の単語をキーワード（文字列データ）として抽出し、抽出されたキーワードを画像検索用のキーワードとして記憶し、画像検索用のキーワードとして設定されたキーワードの中から１つのキーワードを選択し、そのキーワードを画像データのタイトルとして設定し、設定されたタイトルの内容を、選択した画像データに対応付けて、音声情報ファイルとして保存する発明が記載されている。
【０００９】
なお、参考として、特許文献５及び特許文献６には、音声認識処理を別の装置で行い、当該別の装置により変換された文字データを取得することが記載されている。
【先行技術文献】
【特許文献】
【００１０】
【特許文献１】特開２００６−１７２０９７号公報
【特許文献２】特開２０１６−２２５６７９号公報
【特許文献３】特開２０１０−５６８８４号公報
【特許文献４】特開２００３−２１９３２７号公報
【特許文献５】国際公開第２０１２／１４７２７４号公報
【特許文献６】特開２０１６−１２２３４４号公報
【発明の概要】
【発明が解決しようとする課題】
【００１１】
しかしながら、特許文献１及び特許文献２のように、大量の映像を自動で整理、または類似映像からベストショットだけを抜き出すなどの画像解析技術は従来から存在し、サービスとしても提供されているが、上記課題（類似の映像記録から撮像時の状況を思い出して入力するときの労力膨大）を解決するものではない。
【００１２】
なお、特許文献３では、予め登録した認識用の画像パターンに応じて、自動的に撮像画像を振り分けているが、初期設定（認識用の画像パターンの登録）が必須であり、撮像現場における様々な状況変化に対応できない。
【００１３】
また、特許文献４〜特許文献６では、デジタルカメラが保存する全ての画像データのファイル名を取得し、画像一覧情報として記憶することから始まり、その中から画像データを特定して音声情報設定部で設定した音声から得た文字列データをタイトルとしている。
【００１４】
言い換えれば、撮影毎にファイル名を付与する場合であっても、撮影した画像を、とりあえず、一般的なファイル名（連番等）で記憶することが既定の動作であることに変わりは無い。すなわち、ファイル名を付与することは、規定の動作から逸脱した作業（所謂、付け足しの作業）であるため、当該既定の動作以外から逸脱するために、何等かの操作手順が必要となり、リアルタイム性に欠ける。
【００１５】
本発明は、静止画、動画を問わず、撮像現場での状況を発話することで、リアルタイムに発話音声の内容を撮像画像のファイル名及び画像に関するコメントの少なくとも一方を含む文字データとして登録することができる文字入力支援システム、文字入力支援制御装置、文字入力支援制御方法、文字入力支援プログラムを得ることにある。
【課題を解決するための手段】
【００１６】
本発明に係る文字入力支援システムは、表示部によってスルー画像を表示し、撮像部によって目的の画像を撮像する機能を備えた通信端末装置と、前記通信端末装置とアクセス可能であり、当該通信端末装置から転送された画像情報を格納可能なデータベースを備えた画像情報管理制御装置と、を有する文字入力支援システムであって、前記通信端末装置が、前記撮像部で撮像し終えた直後の撮像画像の画像情報を、前記通信端末装置へ転送すると共に、当該撮像画像を、前記スルー画像に代えて前記表示部にプレビュー表示する撮像画像情報処理部と、前記データベースに格納される画像情報には、文字データが登録可能な文字データ格納領域が付加されており、前記表示部に撮像画像がプレビュー表示されている期間中に発話した音声データが変換された文字データを、前記文字データ格納領域に登録する文字データ登録部と、を有している。
【００１７】
本発明によれば、撮像機能を備えた通信端末装置と、通信端末装置から転送された画像情報を格納するデータ変換制御装置と、によって文字入力支援システムを構成する。
【００１８】
通信端末装置では、撮像画像情報処理部が、撮像部で撮像し終えた直後の撮像画像の画像情報を、例えば、通信回線網を介して通信端末装置へ転送すると共に、当該撮像画像を、前記スルー画像に代えて前記表示部にプレビュー表示する。
【００１９】
すなわち、撮像部で撮像し終えると、その直後に撮像画像の画像情報を、例えば、通信回線網を介して通信端末装置へ転送する。通信端末装置では、転送された画像情報をデータベースに格納する。
【００２０】
また、撮像部で撮像した画像は、スルー画像に代えて表示部にプレビュー表示されるため、撮像者は、撮像し終えた直後の画像を確認することができる。
【００２１】
ここで、データベースに格納される画像情報には、文字データが登録可能な文字データ格納領域が付加されている。
【００２２】
文字データ登録部では、表示部に撮像画像がプレビュー表示されている期間中に発話した音声データが変換され、当該音声データが文字データに変換される。変換された文字データを、文字データ格納領域に登録する。
【００２３】
発話による音声データを文字データに変換するため、文字データの入力の際、撮像者の労力を増大させることがない。
【００２４】
また、撮像画像の画像情報は、即時にデータベースに格納されるため、撮像者以外の者の閲覧が可能となる。
【００２５】
本発明に係る文字入力支援システムにおいて、前記通信端末装置の撮像部で撮像した撮像画像は、前記データベースへ転送後に閲覧可能とされ、前記文字データ格納領域の文字データは、予め許可を得た特定の通信端末装置に制限されて閲覧可能とされる、ことを特徴とする。
【００２６】
文字データの閲覧は、例えば、予め許可を受けた特定の通信端末装置に制限することで、画像が迅速に配信でき、かつ、文字データを秘匿することができる。
【００２７】
本発明に係る文字入力支援システムにおいて、前記文字データ格納領域が、前記画像情報の特殊ファイル名を登録するファイル名格納領域であり、前記文字データを当該画像情報の特殊ファイル名として、前記ファイル名格納領域に登録することを特徴としている。
【００２８】
文字データは、撮像画像の画像情報に付加される特殊ファイル名となる。撮像現場において、撮像した状況を見ながら当該撮像画像を容易に特定し得る特殊ファイル名を付与することができるため、撮像現場とは異なる場所（例えば、ファイル管理施設）でのファイル整理を実行する場合の仕分け等の作業が容易となる。
【００２９】
本発明に係る文字入力支援システムにおいて、前記文字データ格納領域が、文字登録可能なコメント領域であり、前記文字データを当該画像情報のコメントとして、前記コメント領域に登録することを特徴としている。
【００３０】
文字データは、撮像画像の画像情報に付加されるコメントとなる。撮像現場において、撮像した状況を見ながら当該撮像画像の特異点等を特定し得るコメントを付与することができるため、撮像現場とは異なる場所（例えば、ファイル管理施設）でのファイル整理を実行する場合の仕分け等の作業が容易となる。なお、基となるコメントが撮影現場でのコメントであるので、例えば、当該コメントを上書きするときも、特異点を特定し得るコメントで上書きすることができる。
【００３１】
本発明に係る文字入力支援制御装置は、通信端末装置の表示部にスルー画像を表示した状態で、撮像部で撮像した画像に対して、文字データを付与するための文字入力支援制御装置であって、前記撮像部で撮像し終えた直後の撮像画像の画像情報を、画像情報格納用のデータベースへ転送すると共に、当該撮像画像を、前記スルー画像に代えて前記表示部にプレビュー表示する撮像画像情報処理部と、前記表示部に撮像画像がプレビュー表示されている期間中に発話した音声を入力する音声入力部と、前記音声入力部で入力された音声データを送信する送信部、及び前記送信部で送信した音声データに基づいて変換された文字データを受信する受信部を備えた文字データ取得部と、前記画像情報には、文字データが登録可能な文字データ格納領域が付加されており、前記文字データ取得部で取得した文字データを、前記文字データ格納領域に登録する文字データ登録部と、を有している。
【００３２】
撮像画像情報処理部では、撮像部で撮像し終えた直後の撮像画像の画像情報を、例えば、通信回線網を介して画像情報格納用のデータベースへ転送すると共に、当該撮像画像を、スルー画像に代えて表示部にプレビュー表示する。
【００３３】
音声入力部では、表示部に撮像画像がプレビュー表示されている期間中に発話した音声を入力する。
【００３４】
文字データ取得部では、送信部により、例えば、通信回線網を介して、前記音声入力部で入力された音声データを送信し、受信部により送信部で送信した音声データに基づいて変換された文字データを受信する。
【００３５】
画像情報には、文字データが登録可能な文字データ格納領域が付加されており、文字データ登録部では、文字データ取得部で取得した文字データを、文字データ格納領域に登録する。
【００３６】
これにより、文字入力支援制御装置では、発話による音声データを文字データに変換するため、文字データの入力の際、撮像者の労力を増大させることがない。
【００３７】
また、撮像画像の画像情報は、即時にデータベースに格納されるため、撮像者以外の者の閲覧が可能となる。
【００３８】
本発明に係る文字入力支援制御装置において、前記通信端末装置の撮像部で撮像した撮像画像は、前記データベースへ転送後に閲覧可能とされ、前記文字データ格納領域の文字データは、予め許可を得た特定の通信端末装置に制限されて閲覧可能とされる、ことを特徴としている。
【００３９】
本発明に係る文字入力支援制御装置において、前記通信端末装置の撮像部で撮像した撮像画像は、前記データベースへ転送後に閲覧可能とされ、前記文字データ格納領域の文字データは、予め許可を得た特定の通信端末装置に制限されて閲覧可能とされる、ことを特徴とする。
【００４０】
文字データの閲覧は、例えば、予め許可を受けた特定の通信端末装置に制限することで、画像が迅速に配信でき、かつ、文字データを秘匿することができる。なお、共有端末を利用してログインパスワード管理とする許可ユーザ利用のみに制限することも可能である。
【００４１】
本発明に係る文字入力支援制御装置において、前記文字データ格納領域が、前記画像情報の特殊ファイル名を登録するファイル名格納領域であり、前記文字データを当該画像情報の特殊ファイル名として、前記ファイル名格納領域に登録することを特徴としている。
【００４２】
文字データは、撮像画像の画像情報に付加される特殊ファイル名となる。撮像現場において、撮像した状況を見ながら当該撮像画像を容易に特定し得る特殊ファイル名を付与することができるため、撮像現場とは異なる場所（例えば、ファイル管理施設）でのファイル整理を実行する場合の仕分け等の作業が容易となる。
【００４３】
本発明に係る文字入力支援制御装置において、前記文字データ格納領域が、文字登録可能なコメント領域であり、前記文字データを当該画像情報のコメントとして、前記コメント領域に登録することを特徴としている。
【００４４】
文字データは、撮像画像の画像情報に付加されるコメントとなる。撮像現場において、撮像した状況を見ながら当該撮像画像の特異点等を特定し得るコメントを付与することができるため、撮像現場とは異なる場所（例えば、ファイル管理施設）でのファイル整理を実行する場合の仕分け等の作業が容易となる。
【００４５】
本発明に係る文字入力支援制御方法は、通信端末装置の表示部にスルー画像を表示した状態で、撮像部で撮像した画像に対して、文字データを付与するための文字入力支援制御方法であって、前記撮像部で撮像し終えた直後の撮像画像の画像情報を、画像情報格納用のデータベースへ転送し、当該撮像画像を、前記スルー画像に代えて前記表示部にプレビュー表示し、前記撮像画像が表示されている所定期間中に発話した音声を入力し、入力された音声データを送信し、かつ、送信した音声データに基づいて変換された文字データを受信し、取得した文字データを、前記画像情報に付加された文字データ格納領域に登録する、ことを特徴としている。
【００４６】
本発明に係る文字入力支援制御方法において、前記通信端末装置の撮像部で撮像した撮像画像は、前記データベースへ転送後に閲覧可能とされ、前記文字データ格納領域の文字データは、予め許可を得た特定の通信端末装置に制限されて閲覧可能とされる、ことを特徴としている。
【００４７】
本発明に係る文字入力支援制御方法において、前記文字データ格納領域が、前記画像情報の特殊ファイル名を登録するファイル名格納領域であり、前記文字データを当該画像情報の特殊ファイル名として、前記ファイル名格納領域に登録することを特徴としている。
【００４８】
本発明に係る文字入力支援制御方法において、前記文字データ格納領域が、文字登録可能なコメント領域であり、前記文字データを当該画像情報のコメントとして、前記コメント領域に登録することを特徴としている。
【００４９】
本発明に係る文字入力支援プログラムは、コンピュータを、上記の文字入力支援装置として機能させる、ことを特徴としている。
【発明の効果】
【００５０】
本発明によれば、静止画、動画を問わず、撮像現場での状況を発話することで、リアルタイムに発話音声の内容を撮像画像のファイル名及び画像に関するコメントの少なくとも一方を含む文字データとして登録することができる。
【図面の簡単な説明】
【００５１】
【図１】本実施の形態に係るファイル名入力支援システムが構築されたネットワーク図である。
【図２】本実施の形態に係る通信端末装置のハード構成を示すブロック図である。
【図３】本実施の形態に適用可能な通信端末装置の例であり、（Ａ）がスマートフォンの斜視図、（Ｂ）がデジタルカメラの斜視図、（Ｃ）がヘッドセット型ウェアラブルカメラの斜視図、（Ｄ）がスマートグラス型ウェアラブルカメラの斜視図である。
【図４】本実施の形態に係るファイル名入力支援プログラムを実行するときの機能ブロック図である。
【図５】本実施の形態に係るファイル名入力支援プログラムを実行するときのフローチャートである。
【図６】特殊ファイル名を付与するときのサブルーチンを示すフローチャートである。
【図７】記録データの格納状態とファイル名の付与の関係を示す概念図である。
【図８】変形例に係るファイル名入力支援プログラムを実行するときのフローチャートである。
【図９】変形例に係る特殊ファイル名を付与するときのサブルーチンを示すフローチャートである。
【発明を実施するための形態】
【００５２】
図１には、本実施の形態に係るファイル用文字入力支援システム１０の概略構成図が示されている。
【００５３】
ファイル用文字入力支援システム１０は、通信端末装置１２と、記録データ管理制御装置１４と、発話音声−文字変換制御装置１６とで構成され、ネットワーク１８を介して、相互に通信可能となっている。
【００５４】
（通信端末装置１２）
【００５５】
図２に示される如く、通信端末装置１２は、マイクロコンピュータ２０を備えている。マイクロコンピュータ２０は、ＣＰＵ２０Ａ、ＲＡＭ２０Ｂ、ＲＯＭ２０Ｃ、入出力ポート２０Ｄ、及びこれらを接続するデータバスやコントロールバス等で構成されたバス２０Ｅによって構成されている。
【００５６】
Ｉ／Ｏ２０Ｄには、入出力デバイス２２、ハードディスク２４、撮像デバイス２６、及びネットワーク１８と接続するための通信Ｉ／Ｆ２８が接続されている。
【００５７】
入出力デバイス２２は、モニタ及び入力パッドとして機能するタッチパネル部２２Ａと、スピーカ２２Ｂと、マイクロフォン２２Ｃとを備える。
【００５８】
通信Ｉ／Ｆ２８は、ネットワーク１８に接続された無線中継装置３０を介してネットワーク１８との間で、データを送受信する。より具体的には、撮像デバイス２６で撮像した画像データを、ネットワーク１８を介して記録データ管理制御装置１４（図１参照）へ転送（送信）するようになっている。なお、撮像は、動画と静止画の何れであってもよい。
【００５９】
動画の場合は、マイクロフォン２２Ｃで収録した音データ（後述する環境音データ）を含み、静止画の場合は、環境音データは存在しないという違いはある。
【００６０】
以下において、単に、「撮像」とした場合は、動画と静止画とを含むものとする。また、以下において、画像データと音声データとを総称して、「記録データ」という。すなわち、記録データ管理制御装置１４は、画像データと音声データとを管理制御する機能を有する。
【００６１】
また、以下において、単に、音声データという場合は、撮像デバイス２６による動画の撮像時の周辺環境音データと、通信端末装置１２を管理（所持）する管理者が撮像している対象を特定するために発話する発話音声データとを含むものとし、必要に応じて、環境音データと発話音声データとは、区別して説明する。また、静止画の場合、発話音声データは収録可能である。
【００６２】
（通信端末装置１２の適用例）
【００６３】
通信端末装置１２は、少なくとも、上記基本機能（入出力デバイス機能（特に、マイクロフォン）、撮像デバイス機能、及び通信Ｉ／Ｆ機能）を備えていればよい。一例として、図３（Ａ）に示すスマートフォン１２ＳＰが代表的な通信端末装置１２として適用可能である。なお、通常、スマートフォン１２ＳＰは通話機能を持つことで、当該通話機能を持たない比較的大画面サイズ（７〜１０インチ程度）のタブレット端末とは異なるカテゴリとする場合もあるが、ここでは、撮像デバイス機能という同等の機能を有するので、以下において、「スマートフォン１２ＳＰ」といった場合は、タブレット端末を含むものとする。
【００６４】
すなわち、図３（Ａ）に示される如く、スマートフォン１２ＳＰは、通信機能（通信Ｉ／Ｆ２８に相当）を備えており、筐体３２の前面がタッチパネル部２２Ａとされ、タッチパネル部２２Ａの周囲には、スピーカ２２Ｂ及びマイクロフォン２２Ｃが設けられている。また、筐体の前面及び背面には、撮像デバイス２６が設けられている。
【００６５】
また、その他の通信端末装置１２の例としては、図３（Ｂ）に示すデジタルカメラ１２ＤＣ、図３（Ｃ）に示すヘッドセット型ウェラブルカメラユニット１２ＨＳが適用可能である。デジタルカメラ１２ＤＣの場合、デジタルカメラ１２ＤＣ自体に通信機能を持たせなくても、通信機能（例えば、ＷｉＦｉ機能等）を備えたＳＤカードを用いることで、通信端末装置１２として適用可能である。
【００６６】
なお、ヘッドセット型ウェラブルカメラユニット１２ＨＳに限らず、図３（Ｄ）に示される如く、入出力デバイス２２及び撮像デバイス２６を含む一部又は全部の機能が眼鏡型の装着部に組み込まれたスマートグラス型ウェラブルカメラユニット１２ＳＧであってもよい。
【００６７】
（記録データ管理制御装置１４）
【００６８】
図１に示される如く、記録データ管理制御装置１４は、マイクロコンピュータとしての機能を備えており（詳細省略）、ハード構成としては、制御装置本体１４Ａ、モニタ１４Ｂ、キーボード１４Ｃ、及びマウス１４Ｄを有する。制御装置本体１４Ａは、図示は省略するが、ＣＰＵ、ＲＡＭ、ＲＯＭ、Ｉ／Ｏ、及びバスを備えている。
【００６９】
また、記録データ管理制御装置１４は、大規模記録装置としての、記録データ格納用データベース１４Ｅを備えており、記録データ格納用データベース１４Ｅには、制御装置本体１４Ａの制御に基づき、通信端末装置１２から受信した記録データがファイル化されて格納されるようになっている。なお、記録データ管理制御装置１４は、記録データ格納用データベース１４Ｅとの間で記録データを読み書きする機能（制御装置本体１４Ａ）があればよく、モニタ１４Ｂ、キーボード１４Ｃ、及びマウス１４Ｄ等の入出力デバイスは必須ではない。
【００７０】
このとき、ファイル名は、規則性を持つ番号や日付等が、自動的に付与され、設定されるのが一般的である（例えば、「DVC01012020-001」等）。
【００７１】
ここで、ファイル名が設定され、記録データ格納用データベース１４Ｅに格納された複数のファイルは、記録データ管理制御装置１４の制御装置本体１４Ａに一時的に読み出され、ファイル内の記録データの編集等が実行される。
【００７２】
このとき、複数のファイルの中から、必要なファイルを選択するには、ファイル名が重要となる。このため、記録データが比較的に容易に特定し得る特殊ファイル名を、自動的に付与されたファイル名に代えて、或いは追加して付与（以下、ファイル名の変更という）する場合がある。
【００７３】
特殊ファイル名への変更は、比較例として、撮像拠点ではなく、記録データ管理制御装置１４の設置拠点（オフィス等）において、記録データ格納用データベース１４Ｅに格納された状態で、記録データ管理制御装置１４の制御装置本体１４Ａに読み出して実行されていた。
【００７４】
しかしながら、比較例では、類似の記録データから撮像時の状況を思い出して、変更するべき特殊ファイル名を入力するのは労力がかかっている。撮像時と特殊ファイル名入力時との間にタイムラグがある。
【００７５】
そこで、本実施の形態では、通信端末装置１２による撮像が実行される撮像拠点において、撮像が動画の場合は、撮像中（主として動画）又は撮像後（主として静止画）のプレビュー表示中に、撮像者３４（図１参照）が発話した音声（発話音声データ）を文字情報に変換し、記録データの特殊ファイル名とした。
【００７６】
また、撮像が静止画の場合は、静止画の撮像後に当該静止画を一定時間プレビュー表示させている間に、撮像者３４（図１参照）が発話した音声（発話音声データ）を文字情報に変換し、記録データの特殊ファイル名とした。
【００７７】
なお、特殊ファイル名と共に、或いは特殊ファイル名に代えて、記録データに付加されるコメント領域のコメント内容とするようにしてもよい。例えば、自動的に付与される通常ファイル名を維持したい場合は、記録データを特定し得る情報をコメント領域のコメント内容として保存すれば、コメント領域のコメント内容が、特殊ファイル名と同等の機能を有する。
【００７８】
コメント領域としては、一例として、Ｅｘｉｆ（登録商標「Exchangeable Image File Format」）情報の一部として設けられたコメント領域が利用可能である。Ｅｘｉｆ（登録商標）情報領域には、撮像に関する情報（撮影日時、メーカー名、モデル名、解像度、シャッター速度、絞り、ＩＳＯ、フラッシュ有無、焦点距離、サムネイル画像、及びＧＰＳ情報等）を記録する領域であり、この撮像に関する情報の一つとしてコメント領域が設けられている。
【００７９】
本実施の形態では、この発話音声データから文字情報への変換は、撮像画像を記録データ管理制御装置１４の記録データ格納用データベース１４Ｅに格納した後、通信端末装置１２とネットワーク１８を介して接続されている発話音声−文字変換制御装置１６により、通信端末装置１２の撮像デバイス２６（図２参照）による撮像と同期して実行される。
【００８０】
図４は、本実施の形態に係る通信端末装置１２で実行される、撮像時の特殊ファイル名及び／又はコメント付与のためのファイル名入力支援制御を機能別に示した機能ブロック図である。なお、図２における各ブロックは、通信端末装置１２のハード構成を限定するものではなく、一部又は全部の機能が、マイクロコンピュータ２０（図２参照）に予めインストールされたソフトウェア（アプリケーションプログラム）の動作として実行させるようにしてもよい。
【００８１】
図２に示される如く、撮像デバイス２６は、撮像制御部５０に接続されている。撮像制御部５０は、入出力デバイス２２からの撮像開始指示及び撮像終了指示を受けて、撮像デバイス２６及び画像取込部５２を制御する。
【００８２】
また、撮像制御部５０は、撮像デバイス２６で撮像しているスルー画像を入出力デバイス２２のタッチパネル部２２Ａ（モニタ）に出力して表示させる。
【００８３】
撮像デバイス２６で撮像された画像データは、画像取込部５２に取り込まれる。
【００８４】
画像取込部５２には、撮像制御部５０を介して、撮像時に入出力デバイス２２のマイクロフォンで同期して収録した撮像時の環境音データが入力される。
【００８５】
画像取込部５２で取り込んだ画像データ（動画の場合は環境音データを含む）にＥｘｉｆ（登録商標）情報等が添付された記録データは、自動的に通常ファイル名が付与されて、記録データ送信部６６へ送出される。記録データ送信部６６では、記録データを、通信Ｉ／Ｆ２８を介して、記録データ管理制御装置１４の記録データ格納用データベース１４Ｅに格納される。
【００８６】
一方、画像取込部５２は、プレビュー表示制御部５６に接続されている。画像取込部５２は、撮像デバイス２６から取り込んだ画像データをプレビュー表示制御部５６へ送出する。
【００８７】
プレビュー表示制御部５６は、入出力デバイス２２に接続されている。
【００８８】
プレビュー表示制御部５６は、入出力デバイス２２との間で、情報の送受信を実行する。
【００８９】
すなわち、プレビュー表示制御部５６は、モニタに撮像中（主として動画）又は撮像後（主として静止画）の画像を表示する（プレビュー表示）。
【００９０】
入出力デバイス２２は、特殊ファイル名管理制御部６０に接続されている。
【００９１】
特殊ファイル名管理制御部６０は、入出力デバイス２２へ発話開始指示を契機として、マイクロフォン２２Ｃから発話音声データを取り込むようになっている。
【００９２】
特殊ファイル名管理制御部６０に取り込んだ発話音声データは、通信Ｉ／Ｆ２８及びネットワーク１８を介して発話音声−文字変換制御装置１６へ通知することで、文字データに変換された状態で返信される。
【００９３】
特殊ファイル名管理制御部６０では、返信された文字データを入出力デバイス２２へ送出することで、文字データの編集が可能である。編集するか否かは、撮像者に問い合わせればよい。
【００９４】
なお、編集の要否は、撮像者に問い合わせることなく、例えば、ＡＩ機能を搭載し、画像データとの照合で、過去の撮像者の要求（適正な特殊ファイル名）を適宜学習し、変換した文字データを取捨選択し、自動的に編集するようにしてもよい。
【００９５】
また、特殊ファイル名管理制御部６０は、特殊ファイル名（文字情報）の生成と同様に、記録データに付与されるコメント領域へのコメント情報に関しても、発話音声データから文字情報を生成する。
【００９６】
特殊ファイル名管理制御部６０は、文字データの編集が終了すると、プレビュー表示制御部５６に対して、プレビュー表示の終了を指示すると共に、特殊ファイル名・コメント付与部６４に文字情報を送出する。
【００９７】
特殊ファイル名・コメント付与部６４は、特殊ファイル名・コメント送信部６５に接続されており、この特殊ファイル名・コメント送信部６５では、特殊ファイル名及び／又はコメントを通信Ｉ／Ｆ２８及びネットワーク１８を介して、記録データ管理制御装置１４へ送出する。記録データ管理制御装置１４では、受信した特殊ファイル名及び／又はコメントと、既に記録データ格納用データベース１４Ｅに格納された記録データとを紐づけて格納する。
【００９８】
以下に、本実施の形態の作用を、図５及び図６のフローチャートに従い説明する。
【００９９】
ステップ１００では、撮像が終了したか否かを判断し、撮像が終了するまで（否定判定）は、ステップ１００で待機し、肯定判定されると、ステップ１０２へ移行して、プレビュー表示する。
【０１００】
プレビュー表示は、必要に応じて、静止画の場合は低解像度に変換し、動画の場合は間引きした動画又は静止画を繰り返し再生して、処理速度を高めるようにしてもよい。
【０１０１】
次のステップ１０４では、プレビュー表示された画像に自動付与される通常ファイル名を表示して、ステップ１０５へ移行する。なお、ステップ１０４において、通常ファイル名は、表示を省略してもよい。ステップ１０５では、保存処理、すなわち、記録データを、記録データ格納用データベース１４Ｅへアップロードして、ステップ１０６へ移行する。
【０１０２】
ステップ１０６では、特殊ファイル名の要否に関するメッセージを報知する。報知の手段としては、通信端末装置１２のタッチパネル部２２Ａに表示する（視覚を通じた報知）、並びに、スピーカ２２Ｂを適用して音声で出力する（聴覚を通じた報知）、の少なくとも一方の報知手段を用いる。
【０１０３】
視覚を通じた報知例としては、タッチパネル部２２Ａに、前記プレビュー表示及び通常ファイル名と共に、「特殊ファイル名を付与しますか？」と表示する。聴覚を通じた報知例としては、この表示文字を音声として出力すればよい。
【０１０４】
次のステップ１０８では、報知したメッセージに対して、回答があったか否かを判断し、否定判定された場合は、ステップ１１０へ移行する。ステップ１１０では、所定時間経過したか否かを判断し、否定判定された場合は、ステップ１０８へ戻る。また、ステップ１１０で肯定判定、すなわち、報知メッセージが実行されてから所定時間経過しても回答がない場合は、特殊ファイル名を付与する必要がないと判断し、ステップ１１４へ移行する。ステップ１１４では、コメント領域に関する処理が実行され（後述、図６のフローチャート参照）、このルーチンは終了する。
【０１０５】
また、ステップ１０８で、肯定判定、すなわち、報知メッセージに対して回答があると、ステップ１１６へ移行する。ステップ１１６では、回答内容として、特殊ファイル名を付与するか付与しないかを判断し、回答内容が付加しないと判定された場合は、ステップ１１４へ移行する。ステップ１１４では、コメント領域に関する処理が実行され（後述、図６のフローチャート参照）、このルーチンは終了する。
【０１０６】
一方、ステップ１１６で、回答内容が付加すると判定された場合は、ステップ１１８へ移行して、発話音声の取得処理及び文字変換処理を実行する。
【０１０７】
具体的には、予め定めた命令語等によって、発話開始を指示し、次いで、撮像者は、プレビュー表示を見ながら、特殊ファイル名となる内容を発話する。
【０１０８】
この発話音声データは、発話音声−文字変換制御装置１６へ送出され、文字データに変換されて、返信される。
【０１０９】
発話音声データから文字データへの変換は、音声認識による単純文字変換や、予め定めた文字コマンドに基づく文字変換等、特に変換手段は限定されるものではない。
【０１１０】
特殊ファイル名に関する発話が終了すると、発話終了を指示することで、ステップ１１８の発話音声の取得処理及び文字変換処理が終了し、ステップ１２０へ移行する。
【０１１１】
ステップ１２０では、特殊ファイル名となる文字列を、タッチパネル部２２Ａのモニタに表示し、ステップ１２２へ移行する。
【０１１２】
ステップ１２２では、特殊ファイル名の編集の要否に関するメッセージを報知する。報知の手段としては、通信端末装置１２のタッチパネル部２２Ａに表示する（視覚を通じた報知）、並びに、スピーカ２２Ｂを適用して音声で出力する（聴覚を通じた報知）、の少なくとも一方の報知手段を用いる。
【０１１３】
視覚を通じた報知例としては、タッチパネル部２２Ａに、特殊ファイル名と共に、「特殊ファイル名を編集しますか？」と表示する。聴覚を通じた報知例としては、この表示文字を音声として出力すればよい。
【０１１４】
次のステップ１２４では、報知したメッセージに対して、回答があったか否かを判断し、否定判定された場合は、ステップ１２６へ移行する。ステップ１２６では、所定時間経過したか否かを判断し、否定判定された場合は、ステップ１２４へ戻る。また、ステップ１２６で肯定判定、すなわち、報知メッセージが実行されてから所定時間経過しても回答がない場合は、特殊ファイル名を編集する必要がないと判断し、ステップ１２８へ移行して、現在の特殊ファイル名を記録データと紐付けて保存処理し、ステップ１３０へ移行する。ステップ１３０では、コメント領域に関する処理が実行され（後述、図６のフローチャート参照）、このルーチンは終了する。
【０１１５】
また、ステップ１２４で、肯定判定、すなわち、報知メッセージに対して回答があると、ステップ１３２へ移行する。ステップ１３２では、回答内容として、特殊ファイル名に対して、編集必要か編集不要かを判断し、回答内容が編集不要と判定された場合は、ステップ１２８へ移行して、現在の特殊ファイル名を記録データと紐付けて保存処理し、ステップ１３０へ移行する。ステップ１３０では、コメント領域に関する処理が実行され（後述、図６のフローチャート参照）、このルーチンは終了する。なお、通信端末装置１２において、特殊ファイル名を通常ファイル名と紐付けて一時的に保存し、時間差を持って、記録データ管理制御装置１４へアップロードしてもよい。この場合、記録データファイル格納用データベース１４Ｅでは、アップロードされた特殊ファイル名が、通常ファイル名に基づいて検索した記録データと紐付けて保存される。
【０１１６】
一方、ステップ１３２で、回答内容が編集必要と判定された場合は、ステップ１３４へ移行して、編集内容を特定するメッセージを、表示及び／又は音声で報知する。報知メッセージ例としては、「編集要件（書換、挿入、削除）と、編集範囲（一部、全部）を指定して下さい」等といった、編集に関する詳細事項の提示を要求する内容である。
【０１１７】
次のステップ１３６では、特殊ファイル名の編集内容を確定し、ステップ１１８へ戻り、上記工程を繰り返す。すなわち、編集箇所に対して、発話音声データの入力を実行する。
【０１１８】
なお、入出力デバイス２２のモニタに特殊ファイル名が表示されているので、タッチパネル部２２Ａの入力パッドを適用し、表示されている特殊ファイル名を所謂ワードプロセッサ機能で編集するようにしてもよい。特に、編集箇所が一部である場合は、入力パッドを適用した方が、簡便となる場合がある。
【０１１９】
図６は、図５のステップ１１４又はステップ１３０におけるコメント領域に関する処理の詳細を示すフローチャートである。基本的には、特殊ファイル名を付与する処理の流れと同等であるが、図６に従い、発話音声データの入力から、コメント領域へ文字データを付与するまでの一連の処理を説明する。
【０１２０】
ステップ１５０では、コメント領域への文字付与の要否に関するメッセージを報知する。報知の手段としては、通信端末装置１２のタッチパネル部２２Ａに表示する（視覚を通じた報知）、並びに、スピーカ２２Ｂを適用して音声で出力する（聴覚を通じた報知）、の少なくとも一方の報知手段を用いる。
【０１２１】
視覚を通じた報知例としては、タッチパネル部２２Ａに、前記プレビュー表示及び通常ファイル名と共に、「コメント領域に文字を付与しますか？」と表示する。聴覚を通じた報知例としては、この表示文字を音声として出力すればよい。
【０１２２】
次のステップ１５２では、報知したメッセージに対して、回答があったか否かを判断し、否定判定された場合は、ステップ１５４へ移行する。ステップ１５４では、所定時間経過したか否かを判断し、否定判定された場合は、ステップ１５２へ戻る。また、ステップ１５４で肯定判定、すなわち、報知メッセージが実行されてから所定時間経過しても回答がない場合は、コメント領域に文字を付与する必要がないと判断し、このルーチンは終了する（図５のステップ１１４又はステップ１３０の後にリターンし、終了する）。
【０１２３】
また、ステップ１５２で、肯定判定、すなわち、報知メッセージに対して回答があると、ステップ１５６へ移行する。ステップ１５６では、回答内容として、コメント領域に文字を付与するか付与しないかを判断し、回答内容が付与しないと判定された場合は、このルーチンは終了する（図５のステップ１１４又はステップ１３０の後にリターンし、終了する）。
【０１２４】
一方、ステップ１５６で、回答内容が付与すると判定された場合は、ステップ１５８へ移行する。ステップ１５８では、発話音声の取得処理及び文字変換処理を実行する。
【０１２５】
具体的には、予め定めた命令語等によって、発話開始を指示し、次いで、撮像者は、例えば、プレビュー表示を見ながら、コメント領域に付与する文字列となる内容を発話する。
【０１２６】
この発話音声データは、発話音声−文字変換制御装置１６へ送出され、文字データに変換されて、返信される。
【０１２７】
発話音声データから文字データへの変換は、音声認識による単純文字変換や、予め定めた文字コマンドに基づく文字変換等、特に変換手段は限定されるものではない。
【０１２８】
コメント領域に付与する文字列に関する発話が終了すると、発話終了を指示することで、ステップ１５８の発話音声の取得処理及び文字変換処理が終了し、ステップ１６０へ移行する。
【０１２９】
ステップ１６０では、コメント領域に付与する文字列を、タッチパネル部２２Ａのモニタに表示し、ステップ１６２へ移行する。
【０１３０】
ステップ１６２では、コメント領域に付与する文字列の編集の要否に関するメッセージを報知する。報知の手段としては、通信端末装置１２のタッチパネル部２２Ａに表示する（視覚を通じた報知）、並びに、スピーカ２２Ｂを適用して音声で出力する（聴覚を通じた報知）、の少なくとも一方の報知手段を用いる。
【０１３１】
視覚を通じた報知例としては、タッチパネル部２２Ａに、特殊ファイル名と共に、「コメントを編集しますか？」と表示する。聴覚を通じた報知例としては、この表示文字を音声として出力すればよい。
【０１３２】
次のステップ１６４では、報知したメッセージに対して、回答があったか否かを判断し、否定判定された場合は、ステップ１６６へ移行する。ステップ１６６では、所定時間経過したか否かを判断し、否定判定された場合は、ステップ１６４へ戻る。また、ステップ１６６で肯定判定、すなわち、報知メッセージが実行されてから所定時間経過しても回答がない場合は、コメント領域に付与する文字列を編集する必要がないと判断し、ステップ１６８へ移行して、現在のコメント内容を記録データと紐付けて保存処理し、現在のコメント内容の文字列で保存処理し、このルーチンは終了する（図５のステップ１１４又はステップ１３０の後にリターンし、終了する）。
【０１３３】
また、ステップ１６４で、肯定判定、すなわち、報知メッセージに対して回答があると、ステップ１７０へ移行する。ステップ１７０では、回答内容として、コメント領域に付与する文字列に対して、編集必要か編集不要かを判断し、回答内容が編集不要の場合は、ステップ１６８へ移行して、現在のコメント内容を記録データと紐付けて保存処理し、このルーチンは終了する（図５のステップ１１４又はステップ１３０の後にリターンし、終了する）。
【０１３４】
一方、編集が必要な場合は、ステップ１７２へ移行して、編集内容を特定するメッセージを、表示及び／又は音声で報知する。報知メッセージ例としては、「編集要件（書換、挿入、削除）と、編集範囲（一部、全部）を指定して下さい」等といった、編集に関する詳細事項の提示を要求する内容である。
【０１３５】
次のステップ１７４では、コメント領域に付与する文字列の編集内容を確定し、ステップ１５８へ戻り、上記工程を繰り返す。すなわち、編集箇所に対して、発話音声データの入力を実行する。なお、図５のステップ１０５において、記録データを記録データ格納用データベース１４Ｅにアップロードし、格納するようにしたが、このアップロードは、図５のステップ１２８又は図６のステップ１６８のタイミングで実施するようにしてもよい。
【０１３６】
なお、入出力デバイス２２のモニタに特殊ファイル名が表示されているので、タッチパネル部２２Ａの入力パッドを適用し、表示されているコメント領域に付与する文字列を所謂ワードプロセッサ機能で編集するようにしてもよい。特に、編集箇所が一部である場合は、入力パッドを適用した方が、簡便となる場合がある。
【０１３７】
ここで、図５及び図６のフローチャートの処理の流れを、記録データに特殊ファイル名及びコメントの少なくとも一方を付与する、かつ、編集しない、という基本的な処理の流れに特化して要約すると、以下の手順となる。
【０１３８】
（手順１）  撮像者は、通信端末装置１２を持って、スルー画像を見ながら、現場で撮像する（動画、静止画は問わない）。
【０１３９】
（手順２）  撮像した記録データを、記録データ管理制御装置１４の記録データ格納用データベース１４Ｅへアップロードする。アップロードされた撮像画像が、通信端末装置１２のタッチパネル部２２Ａに表示される（プレビュー表示）。
【０１４０】
（手順３）  撮像者からのタイミングで発話の開始指示があると、発話音声−文字変換制御装置１６によって発話音声が文字に変換される。
【０１４１】
（手順４）  文字変換された文字データがプレビュー表示され、かつ既に記録データ格納用データベース１４Ｅにアップロードされている記録データと紐付けて保存する。コメントも同様に、発話した音声データが文字データに変換され、当該文字データを記録データと紐付けて保存する。
【０１４２】
この場合、文字データの閲覧は、例えば、予め許可を受けた特定の通信端末装置１２等に制限することで、先に記録データ格納用データベース１４Ｅに格納した記録データは迅速に配信して何人も閲覧可能とすると共に、文字データは、予め許可を受けた者以外は秘匿としてもよい。
【０１４３】
図７は、上記手順に基づき、記録データの格納状態とファイル名の付与の関係を示す概念図を示したものである。
【０１４４】
記録データには、静止画ファイル７０と動画ファイル７２とが混在しているが、撮像順に通常ファイル名が付与される。図７では、連番として、「０００１」、「０００２」、・・・「０００６」が付与されている。
【０１４５】
プレビュー表示されると、例えば、通常ファイル名「０００１」において、撮像者が、『ＬＮＧタンク設備の外観』と発話すると、音声解析によって文字列に変換され、通常ファイル名「０００１」が、特殊ファイル名「０００１−ＬＮＧタンク外観」に変更される。この場合、編集によって、発話から変換された文字が編集されて（・・・「設備の」が削除）特殊ファイル名となっている。
【０１４６】
また、通常ファイル名「０００６」において、撮像者が、『サテライト基地のＬＮＧ運搬状況』と発話すると、音声解析によって文字列に変換され、通常ファイル名「０００６」が、特殊ファイル名「０００１−サテライト基地のＬＮＧ運搬状況」に変更される。この場合、編集はされず、発話から変換された文字がそのまま特殊ファイル名となっている。
【０１４７】
（変形例）
【０１４８】
なお、本実施の形態（図５参照）では、撮像毎に、撮像者（ユーザー）に特殊ファイル名の要否に関するメッセージを報知し、その回答を待って、特殊ファイル名の付加の要否を判定する、所謂会話形式の形態を採用した（図５のステップ１０６、１０８、１１０、１１６参照）。
【０１４９】
また、特殊ファイル名の編集においても同様の会話形式の形態を採用した（図５のステップ１２２、１２４、１２６、１３２参照）。
【０１５０】
しかし、この会話形式の形態を採用せず、図５のステップ１０５の保存処理後、発話開始で特殊ファイル名が「必要」と判定してステップ１１８へ移行し、或いは、無音でデバイスにタッチ操作することで特殊ファイル名が「不要」と判定してステップ１１４へ移行するようにしてもよい。これにより、特殊ファイル名の付加手順を簡略化することができる。
【０１５１】
また、本実施の形態（図６参照）では、撮像毎に、撮像者（ユーザー）にコメント付与の要否に関するメッセージを報知し、その回答を待って、コメント付与の要否を判定する、所謂会話形式の形態を採用した（図６のステップ１５０、１５２、１５４、１５６参照）。
【０１５２】
また、コメントの編集においても同様の会話形式の形態を採用した（図６のステップ１６２、１６４、１６６、１７０参照）。
【０１５３】
しかし、この会話形式の形態を採用せず、図６のサブルーチンの開始後、発話開始でコメントが「必要」と判定して、ステップ１５８をスタートし、無音でデバイスにタッチ操作することでコメントが「不要」と判定して、図６のサブルーチンをスルーする（実行しない）ようにしてもよい。これにより、コメントの付与手順を簡略化することができる。
【０１５４】
図８は、図５の変形例に係るファイル名入力支援プログラムを実行するときのフローチャートである。
【０１５５】
なお、図５と同一処理のステップは、同一のステップ番号の末尾に「Ａ」を付して説明する。
【０１５６】
ステップ１００Ａでは、撮像が終了したか否かを判断し、撮像が終了するまで（否定判定）は、ステップ１００Ａで待機し、肯定判定されると、ステップ１０２Ａへ移行して、プレビュー表示する。
【０１５７】
プレビュー表示は、必要に応じて、静止画の場合は低解像度に変換し、動画の場合は間引きした動画又は静止画を繰り返し再生して、処理速度を高めるようにしてもよい。
【０１５８】
次のステップ１０４Ａでは、プレビュー表示された画像に自動付与される通常ファイル名を表示して、ステップ１０５Ａへ移行する。なお、ステップ１０４Ａにおいて、通常ファイル名は、表示を省略してもよい。ステップ１０５Ａでは、保存処理、すなわち、記録データを、記録データ格納用データベース１４Ｅへアップロードして、ステップ１０９へ移行する。
【０１５９】
ステップ１０９では、通信端末装置１２に対する操作状況を判定する。すなわち、タッチパネル部２２Ａにタッチ操作を行っているか、或いはマイクロフォン２２Ｃに発話音声が入力されているか、を判定する。
【０１６０】
タッチ操作されている場合は、特殊ファイル名を付加する意志がないと判断し、ステップ１１４Ａへ移行する。
【０１６１】
ステップ１１４Ａでは、コメント領域に関する処理が実行され（後述、図９のフローチャート参照）、このルーチンは終了する。
【０１６２】
また、ステップ１０９で、発話有りと判定された場合は、特殊ファイル名を付加する意志があると判断し、ステップ１１８Ａへ移行して、発話音声の取得処理及び文字変換処理を実行する。
【０１６３】
この場合、予め定めた命令語等によって、発話開始を指示し、次いで、撮像者は、プレビュー表示を見ながら、特殊ファイル名となる内容を発話するようにしてもよい。
【０１６４】
この発話音声データは、発話音声−文字変換制御装置１６へ送出され、文字データに変換されて、返信される。
【０１６５】
発話音声データから文字データへの変換は、音声認識による単純文字変換や、予め定めた文字コマンドに基づく文字変換等、特に変換手段は限定されるものではない。
【０１６６】
特殊ファイル名に関する発話が終了すると、発話終了を指示することで、ステップ１１８の発話音声の取得処理及び文字変換処理が終了し、ステップ１２０へ移行する。
【０１６７】
ステップ１２０Ａでは、特殊ファイル名となる文字列を、タッチパネル部２２Ａのモニタに表示し、ステップ１２５へ移行する。
【０１６８】
ステップ１２５では、タッチパネル部２２Ａへのタッチ操作形態（例えば、ワンクリック、ダブルクリック等）に基づく指示を判定する。すなわち、タッチ操作形態から編集不要の意志があると判断した場合は、ステップ１２８Ａへ移行して、現在の特殊ファイル名を記録データと紐付けて保存処理し、ステップ１３０Ａへ移行する。ステップ１３０Ａでは、コメント領域に関する処理が実行され（後述、図９のフローチャート参照）、このルーチンは終了する。なお、通信端末装置１２において、特殊ファイル名を通常ファイル名と紐付けて一時的に保存し、時間差を持って、記録データ管理制御装置１４へアップロードしてもよい。この場合、記録データファイル格納用データベース１４Ｅでは、アップロードされた特殊ファイル名が、通常ファイル名に基づいて検索した記録データと紐付けて保存される。
【０１６９】
また、ステップ１２５で、タッチ操作形態から編集必要の意志があると判断し、ステップ１３６Ａへ移行して、特殊ファイル名の編集内容を確定し、ステップ１１８Ａへ戻り、上記工程を繰り返す。すなわち、編集箇所に対して、発話音声データの入力を実行する。
【０１７０】
なお、編集の際は、入出力デバイス２２のモニタに特殊ファイル名が表示されているので、タッチパネル部２２Ａの入力パッドを適用し、表示されている特殊ファイル名を所謂ワードプロセッサ機能で編集するようにしてもよい。特に、編集箇所が一部である場合は、入力パッドを適用した方が、簡便となる場合がある。
【０１７１】
図９は、図６の変形例に係る特殊ファイル名を付与するときのサブルーチンを示すフローチャートである。
【０１７２】
なお、図６と同一処理のステップは、同一のステップ番号の末尾に「Ａ」を付して説明する。
【０１７３】
ステップ１５５では、通信端末装置１２に対する操作状況を判定する。すなわち、タッチパネル部２２Ａにタッチ操作を行っているか、或いはマイクロフォン２２Ｃに発話音声が入力されているか、を判定する。
【０１７４】
タッチ操作されている場合は、コメントを付与する意志がないと判断し、このルーチンは終了する。
【０１７５】
また、ステップ１５５で、発話有りと判定された場合は、コメントを付与する意志があると判断し、ステップ１５８Ａへ移行して、発話音声の取得処理及び文字変換処理を実行する。
【０１７６】
この場合、予め定めた命令語等によって、発話開始を指示し、次いで、撮像者は、例えば、プレビュー表示を見ながら、コメント領域に付与する文字列となる内容を発話するようにしてもよい。
【０１７７】
この発話音声データは、発話音声−文字変換制御装置１６へ送出され、文字データに変換されて、返信される。
【０１７８】
発話音声データから文字データへの変換は、音声認識による単純文字変換や、予め定めた文字コマンドに基づく文字変換等、特に変換手段は限定されるものではない。
【０１７９】
コメント領域に付与する文字列に関する発話が終了すると、発話終了を指示することで、ステップ１５８Ａの発話音声の取得処理及び文字変換処理が終了し、ステップ１６０Ａへ移行する。
【０１８０】
ステップ１６０Ａでは、コメント領域に付与する文字列を、タッチパネル部２２Ａのモニタに表示し、ステップ１６５へ移行する。
【０１８１】
ステップ１６５では、タッチパネル部２２Ａへのタッチ操作形態（例えば、ワンクリック、ダブルクリック等）に基づく指示を判定する。すなわち、タッチ操作形態から編集不要の意志があると判断した場合は、ステップ１６８Ａへ移行して、現在のコメント内容を記録データと紐付けて保存処理し、このルーチンは終了する。
【０１８２】
また、ステップ１６５で、タッチ操作形態から編集必要の意志があると判断し、ステップ１７４Ａへ移行して、特殊ファイル名の編集内容を確定し、ステップ１５８Ａへ戻り、上記工程を繰り返す。すなわち、編集箇所に対して、発話音声データの入力を実行する。なお、図８のステップ１０５Ａにおいて、記録データを記録データ格納用データベース１４Ｅにアップロードし、格納するようにしたが、このアップロードは、図８のステップ１２８Ａ又は図９のステップ１６８Ａのタイミングで実施するようにしてもよい。
【０１８３】
なお、編集の際は、入出力デバイス２２のモニタに特殊ファイル名が表示されているので、タッチパネル部２２Ａの入力パッドを適用し、表示されているコメント領域に付与する文字列を所謂ワードプロセッサ機能で編集するようにしてもよい。特に、編集箇所が一部である場合は、入力パッドを適用した方が、簡便となる場合がある。
【０１８４】
なお、本実施の形態に係るファイル名入力支援（図５及び図６のフローチャートで示すロジックＡ）と、変形例に係るファイル名入力支援（図８及び図９のフローチャートで示すロジックＢ）とは、共に文字データの入力契機が異なるのみであるため、単一の通信端末装置１２において、何れか一方のロジック（ロジックＡ又はロジックＢ）が搭載されていればよい。また、両方の（ロジックＡ及びロジックＢ）を搭載し、何れかをデフォルトとして、切り替え可能としてもよい。
【符号の説明】
【０１８５】
１０    ファイル用文字入力支援システム
１２    通信端末装置
１２ＳＰ    スマートフォン
１２ＤＣ    デジタルカメラ
１２ＨＳ    ヘッドセット型ウェラブルカメラユニット
１２ＳＧ    スマートグラス型ウェラブルカメラユニット
１４    記録データ管理制御装置
１４Ａ    制御装置本体
１４Ｂ    モニタ
１４Ｃ    キーボード
１４Ｄ    マウス
１４Ｅ    記録データ格納用データベース
１６    発話音声−文字変換制御装置
１８    ネットワーク
２０    マイクロコンピュータ
２０Ａ    ＣＰＵ
２０Ｂ    ＲＡＭ
２０Ｃ    ＲＯＭ
２０Ｄ    入出力ポート
２０Ｅ    バス
２２    入出力デバイス
２２Ａ    タッチパネル部
２２Ｂ    スピーカ
２２Ｃ    マイクロフォン
２４    ハードディスク
２６    撮像デバイス
２８    通信Ｉ／Ｆ
３０    無線中継装置
３２    筐体
３４    撮像者
５０    撮像制御部
５２    画像取込部
５６    プレビュー表示制御部
６０    特殊ファイル名管理制御部
６４    特殊ファイル名・コメント付与部
６５    特殊ファイル名・コメント送信部
６６    記録データ送信部
７０    静止画ファイル
７２    動画ファイル
【図１】
2020119444.tif 000003
【図２】
2020119444.tif 000004
【図３】
2020119444.tif 000005
【図４】
2020119444.tif 000006
【図５】
2020119444.tif 000007
【図６】
2020119444.tif 000008
【図７】
2020119444.tif 000009
【図８】
2020119444.tif 000010
【図９】
2020119444.tif 000011